(57)【要約】【課題】結露水を間違って漏水と検知することを確実に防止することのできる貯湯式給湯機を提供する。【解決手段】貯湯式給湯機は、貯湯タンクと、貯湯タンクを収納する外郭ケースと、外郭ケースの底板７から水を受ける水受け部１１と、漏水検知センサ１８と、を備える。水受け部１１は、漏水溜め部屋１４と、漏水溜め部屋１４の底面２１に比べて低い位置に底面２２を有する排水部屋１５と、漏水溜め部屋１４と排水部屋１５との間を仕切る仕切り板１２と、仕切り板１２に形成され、漏水溜め部屋１４の底部から上方へ延びるスリット部１３と、排水部屋１５の水を排出する排水口１７と、を備える。漏水検知センサ１８は、漏水溜め部屋１４に溜まった水を検知する。【選択図】図２
2017215075.tif 000002
【特許請求の範囲】
【請求項１】
貯湯タンクと、
前記貯湯タンクを収納する外郭ケースと、
前記外郭ケースの底板から水を受ける水受け部と、
漏水検知センサと、
を備え、
前記水受け部は、
漏水溜め部屋と、
前記漏水溜め部屋の底面に比べて低い位置に底面を有する排水部屋と、
前記漏水溜め部屋と前記排水部屋との間を仕切る仕切り板と、
前記仕切り板に形成され、前記漏水溜め部屋の底部から上方へ延びるスリット部と、
前記排水部屋の水を排出する排水口と、
を備え、
前記漏水検知センサは、前記漏水溜め部屋に溜まった水を検知する貯湯式給湯機。
【請求項２】
前記仕切り板の上端を含む前記排水部屋の上端縁の高さレベルは、前記仕切り板の上端を除く前記漏水溜め部屋の上端縁の高さレベルに比べて、高い位置にある請求項１に記載の貯湯式給湯機。
【請求項３】
前記スリット部の長手方向の少なくとも一部で、前記長手方向に垂直な前記スリット部の幅が、下から上に向かって拡大する請求項１または請求項２に記載の貯湯式給湯機。
【請求項４】
前記排水口は、前記排水部屋から横方向へ突出し、
前記排水口の内面の最も低い位置は、前記漏水溜め部屋の底面に比べて低い位置にある請求項１から請求項３のいずれか一項に記載の貯湯式給湯機。
【請求項５】
前記漏水溜め部屋の底面は、前記仕切り板に近いほど低くなるように傾斜する傾斜面を備える請求項１から請求項４のいずれか一項に記載の貯湯式給湯機。
【請求項６】
前記スリット部の向かい合う壁面は、前記仕切り板の表面に比べて高い親水性を有する請求項１から請求項５のいずれか一項に記載の貯湯式給湯機。
【請求項７】
前記スリット部の下の前記排水部屋の内壁面と、前記漏水溜め部屋の底面との間の角を面取りする面取り部を備える請求項１から請求項６のいずれか一項に記載の貯湯式給湯機。
【発明の詳細な説明】
【技術分野】
【０００１】
本発明は、貯湯式給湯機に関する。
【背景技術】
【０００２】
下記特許文献１に開示された漏水検知装置は、漏水受け（１３）と、漏水受け（１３）の底部に設けた小排水口（１４）及び大排水口（１５）と、この小排水口（１４）と大排水口（１５）との間に設けられ漏水受け（１３）の内部の空間を二分し、小排水口（１４）のある側の漏水受け（１３）の内部空間を一時的に漏水を溜める一時漏水溜め領域（１６）を形成する仕切り板（１７）と、一時漏水溜め領域（１６）に設けられ溜められた漏水が所定の水位に達したことを検知する漏水検知センサ（１８）とを備える。
【先行技術文献】
【特許文献】
【０００３】
【特許文献１】特開２００４−１１９６６号公報
【発明の概要】
【発明が解決しようとする課題】
【０００４】
しかしながら、上記従来の技術では、結露水に流されて集まる砂及び埃等の異物が、一時漏水溜め領域（１６）に堆積し、小排水口（１４）を閉塞する可能性がある。また、冬季には、一時漏水溜め領域（１６）に残った結露水が凍結して小排水口（１４）を閉塞する可能性がある。小排水口（１４）が閉塞すると、一時漏水溜め領域（１６）に結露水が溜まり、誤ってその結露水を漏水検知センサ（１８）が漏水と検知してしまう。
【０００５】
本発明は、上述のような課題を解決するためになされたもので、結露水を間違って漏水と検知することを確実に防止することのできる貯湯式給湯機を提供することを目的とする。
【課題を解決するための手段】
【０００６】
本発明に係る貯湯式給湯機は、貯湯タンクと、貯湯タンクを収納する外郭ケースと、外郭ケースの底板から水を受ける水受け部と、漏水検知センサと、を備え、水受け部は、漏水溜め部屋と、漏水溜め部屋の底面に比べて低い位置に底面を有する排水部屋と、漏水溜め部屋と排水部屋との間を仕切る仕切り板と、仕切り板に形成され、漏水溜め部屋の底部から上方へ延びるスリット部と、排水部屋の水を排出する排水口と、を備え、漏水検知センサは、漏水溜め部屋に溜まった水を検知するものである。
【発明の効果】
【０００７】
本発明の貯湯式給湯機によれば、結露水を間違って漏水と検知することを確実に防止することが可能となる。
【図面の簡単な説明】
【０００８】
【図１】実施の形態１の貯湯式給湯機を示す正面図である。
【図２】実施の形態１の貯湯式給湯機が備える漏水検知装置の断面図である。
【図３】図２に示す漏水検知装置が備える水受け部の平面図である。
【図４】図２に示す漏水検知装置が備える水受け部の断面斜視図である。
【図５】実施の形態２の貯湯式給湯機が備える漏水検知装置の断面図である。
【図６】図５に示す漏水検知装置が備える水受け部の平面図である。
【図７】実施の形態３の貯湯式給湯機が備える漏水検知装置の断面図である。
【図８】図７に示す漏水検知装置が備える水受け部の平面図である。
【発明を実施するための形態】
【０００９】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１０】
実施の形態１．
図１は、実施の形態１の貯湯式給湯機１を示す正面図である。図１に示すように、実施の形態１の貯湯式給湯機１は、貯湯タンク２と、貯湯タンク２を収納する外郭ケース６とを備える。貯湯タンク２及び外郭ケース６は、複数の脚１０を介して、床面２０に固定される。図１は、外郭ケース６の正面の壁を透視した透視図である。図１及び後述する他の図において、一部の部品は図示を省略する。
【００１１】
外郭ケース６内には、給水管３、出湯管４、制御基板５、及び給水電磁弁９がさらに収納されている。給水管３は、貯湯タンク２の下部に接続されている。給水管３の上流側は、水道等の水源に接続される。水源からの水が給水管３を通って貯湯タンク２に流入する。給水管３の途中に給水電磁弁９が設置されている。出湯管４は、貯湯タンク２の上部に接続されている。貯湯式給湯機１が外部へ給湯する際には、給水管３から作用する水圧により貯湯タンク２内の湯が出湯管４へ送り出される。貯湯タンク２から出湯管４へ流出した湯と同量の水が給水管３から貯湯タンク２に流入することで貯湯タンク２が満水状態に維持される。制御基板５は、貯湯式給湯機１の動作を制御する制御装置を構成する。
【００１２】
図示を省略するが、外郭ケース６内には、貯湯タンク２を覆う断熱材、湯水を循環させるポンプ、湯水の熱交換を行う熱交換器、湯水を混合する混合弁などの他の機器がさらに収納されてもよい。
【００１３】
外郭ケース６は、底板７を備える。底板７は、外郭ケース６の底面を形成する。外郭ケース６の内部で結露水が発生する場合がある。結露水は、重力により流下する。底板７は、流下した結露水を受ける。また、万一の故障のときに、外郭ケース６の内部での漏水、すなわち貯湯タンク２または他の機器からの漏水が発生した場合には、その漏水を底板７が受ける。
【００１４】
貯湯式給湯機１は、漏水検知装置８を備える。漏水検知装置８は、水受け部１１及び漏水検知センサ１８を備える。水受け部１１は、底板７の最低部に取り付けられている。水受け部１１は、排水口１７を備える。外郭ケース６の内部で底板７が受けた結露水または漏水は、底板７の上面の傾斜または溝などにより、漏水検知装置８の水受け部１１の位置に集まり、排水口１７から外郭ケース６の外へ排出される。排水口１７にホースなど（図示せず）を取り付け、排水ホッパー（図示せず）などへ排水することで、貯湯式給湯機１が設置されている床面２０を水で濡らすことを防止できる。
【００１５】
漏水検知センサ１８及び給水電磁弁９は、制御基板５に電気的に接続されている。後述するように、漏水検知装置８は、漏水検知センサ１８により漏水の発生を検知できる。漏水検知装置８が漏水の発生を検知した場合には、制御基板５は、給水電磁弁９を閉じる。本実施の形態であれば、漏水が発生した場合に自動的に給水電磁弁９が閉じて給水が停止されることで、漏水の拡大を確実に防止できる。
【００１６】
貯湯式給湯機１は、貯湯タンク２の水を加熱する加熱装置をさらに備える。加熱装置は、いかなる構成のものでもよい。加熱装置は、外郭ケース６の外部に設置されてもよいし、外郭ケース６の内部に設置されてもよい。加熱装置は、例えば、ヒートポンプ式加熱装置でもよいし、貯湯タンク２内に設置される電気ヒータでもよい。加熱装置は、本発明の特徴部分ではないため、本明細書では図示及び詳細な説明を省略する。
【００１７】
図２は、実施の形態１の貯湯式給湯機１が備える漏水検知装置８の断面図である。図３は、図２に示す漏水検知装置８が備える水受け部１１の平面図である。図４は、図２に示す漏水検知装置８が備える水受け部１１の断面斜視図である。
【００１８】
図２に示すように、漏水検知装置８が備える水受け部１１は、底板７の下面に固定されている。水受け部１１が取り付けられた位置の底板７には、開口が形成されている。底板７が受けた結露水または漏水は、その開口を通って水受け部１１内に流入する。
【００１９】
水受け部１１は、仕切り板１２、スリット部１３、漏水溜め部屋１４、排水部屋１５、面取り部１６、及び排水口１７を備える。仕切り板１２は、水受け部１１の内部空間を二分する。漏水溜め部屋１４は、仕切り板１２で二分された一方の部屋である。排水部屋１５は、仕切り板１２で二分されたもう一方の部屋である。すなわち、仕切り板１２は、漏水溜め部屋１４と排水部屋１５との間を仕切る隔壁に相当する。排水部屋１５の底面２２は、漏水溜め部屋１４の底面２１に比べて、低い位置にある。すなわち、図２中で、漏水溜め部屋１４の底面２１の高さレベルＨ１は、排水部屋１５の底面２２の高さレベルＨ２より上にある。排水口１７は、排水部屋１５の水を外部へ排水する。
【００２０】
漏水検知センサ１８は、漏水溜め部屋１４に溜まった水を検知する。漏水検知センサ１８は、漏水溜め部屋１４に溜まった水の水位が、所定の水位に達した場合に、水を検知した信号を発する。制御基板５は、当該信号を受信する。本実施の形態における漏水検知センサ１８は、一対の電極１８ａを備える。漏水検知センサ１８は、漏水溜め部屋１４の上方に配置される。漏水検知センサ１８は、支持部材（図示せず）により支持されている。電極１８ａは、下に向かって突出する。電極１８ａの先端すなわち下端は、漏水溜め部屋１４の内部空間に位置する。漏水検知センサ１８は、電極１８ａが水に触れているか否かを検知できる。漏水溜め部屋１４内の水位が所定水位以上になると、電極１８ａが水に触れ、漏水検知センサ１８が漏水を検知する。漏水検知センサ１８は、上記の構成に限定されるものではなく、漏水溜め部屋１４に水が溜まっているかどうかを検知できるものであれば、どのような構成であってもよい。例えば、漏水検知センサ１８は、漏水溜め部屋１４に溜まった水から浮力を受けるフロートと、このフロートが浮上する動きを検知する検知部とを備えるものでもよい。
【００２１】
図３に示す平面視においては、以下のようになる。漏水溜め部屋１４及び排水部屋１５の形状は、それぞれ半円形である。漏水溜め部屋１４及び排水部屋１５が合わさって円形を呈する。仕切り板１２は、漏水溜め部屋１４及び排水部屋１５が形成する円の直径の位置にある。
【００２２】
図４に示すように、スリット部１３は、仕切り板１２に形成された細長い切欠きである。スリット部１３は、漏水溜め部屋１４の底部から上方へ向かって延びる。本実施の形態では、スリット部１３は、仕切り板１２の上端まで連続して形成されている。このような構成に限らず、例えば、仕切り板１２の上端まではスリット部１３が達せず、仕切り板１２の上端が分割されずにつながっていてもよい。面取り部１６は、スリット部１３の下の排水部屋１５の内壁面２３と、漏水溜め部屋１４の底面との間の角を面取りする形状を有する。図２に示すように、本実施の形態における面取り部１６は、ラウンド形状または円弧形状の曲面を有する。面取り部１６は、このような形状に限らず、平面を有する形状でもよい。
【００２３】
図２に示すように、仕切り板１２の上端を含む排水部屋１５の上端縁の高さレベルＨ３は、仕切り板１２の上端を除く漏水溜め部屋１４の上端縁の高さレベルＨ４に比べて、高い位置にある。このような構成により、以下の効果が得られる。底板７上の水を、排水部屋１５よりも漏水溜め部屋１４へ確実に優先して流入させることができる。漏水が発生した場合に、漏水溜め部屋１４に確実に水を溜めることができるので、漏水を確実に検知できる。貯湯式給湯機１が設置された床面２０に多少の勾配がある場合でも、上記効果を確実に奏することが可能となる。なお、図示の構成では、仕切り板１２の上端を含む排水部屋１５の上端縁が、全周に渡って一定の高さレベルＨ３にあるが、必ずしもこのように構成される必要はない。
【００２４】
次に、漏水検知装置８の動作について説明する。まず、外郭ケース６内で結露水が発生した場合について説明する。例えば、貯湯式給湯機１の周辺の雰囲気温度と、給水管３を流れる水との温度差によって、給水管３の外側に結露水が生じることがある。そのような結露水は、底板７へ流下し、底板７上を流れて漏水溜め部屋１４に流入する。このとき、本実施の形態であれば、前述した理由により、底板７上の水を、排水部屋１５ではなく、より確実に漏水溜め部屋１４へ優先して流入させることができる。漏水溜め部屋１４に流入した結露水は、スリット部１３を通過して排水部屋１５に流入する。このとき、排水部屋１５の底面２２が漏水溜め部屋１４の底面２１より低い位置にあることで、漏水溜め部屋１４の水が確実に排水部屋１５へ流入し、漏水溜め部屋１４に水が残ることが確実に抑制される。排水部屋１５に流入した結露水は、排水口１７から外部の排水ホッパー等へ排出される。結露水のような少ない流量の水は、漏水溜め部屋１４に流入しても、すぐにスリット部１３を通過して排水部屋１５に移動する。このため、漏水溜め部屋１４内の水位が、漏水検知センサ１８の検知する水位に達することはない。よって、結露水を漏水と間違って検知することを確実に防止できる。結露水を漏水と間違って検知すると、給水電磁弁９が閉じられることで、給湯ができない状態になってしまう。本実施の形態であれば、そのような状態になることを確実に防止できる。
【００２５】
次に、外郭ケース６内で貯湯タンク２またはその他の部品から万一の漏水が発生した場合について説明する。漏水は、底板７上を流れて漏水溜め部屋１４に流入する。このとき、本実施の形態であれば、前述した理由により、底板７上の水を、排水部屋１５ではなく、より確実に漏水溜め部屋１４へ優先して流入させることができる。漏水溜め部屋１４に流入した漏水は、スリット部１３を通過して排水部屋１５に流入する。排水部屋１５に流入した漏水は、排水口１７から外部の排水ホッパー等へ排出される。スリット部１３を通過可能な水の流量には限界がある。スリット部１３を通過可能な水の流量を超える流量の漏水が漏水溜め部屋１４に流入すると、漏水溜め部屋１４の水位が上昇していく。漏水溜め部屋１４の水位が所定水位に達すると、漏水検知センサ１８の電極１８ａに水が触れることで、漏水検知センサ１８が漏水を検知する。
【００２６】
漏水溜め部屋１４に溜まる漏水が漏水溜め部屋１４の容積を超えると、排水部屋１５の仕切り板１２を含む上端縁を漏水が乗り越えて排水部屋１５へ流入する。漏水が排水部屋１５の仕切り板１２を含む上端縁を乗り越えて排水部屋１５に流入し始めると、漏水の一部がスリット部１３の流体抵抗を受けずに排水されるため、排水能力が上昇する。このことにより、漏水が底板７の容積を超えて貯湯式給湯機１が設置してある床面２０を漏水で濡らすことを防止できる。
【００２７】
砂及び埃等の異物が、結露水によって流されて、漏水溜め部屋１４に流入し、漏水溜め部屋１４の底部に砂及び埃等の異物が堆積する可能性がある。本実施の形態であれば、漏水溜め部屋１４の底部から上方へ延びるスリット部１３を仕切り板１２に形成したことで、以下の効果が得られる。漏水溜め部屋１４の底部に砂及び埃等の異物が堆積した場合でも、漏水溜め部屋１４に流入した結露水は、堆積した異物の上側のスリット部１３を通って、排水部屋１５へ確実に流入できる。このため、漏水溜め部屋１４に結露水が溜まることを確実に抑制できる。これに対し、特許文献１の発明の場合には、以下のような問題がある。結露水に流されて集まった砂及び埃等の異物が塊を形成し、その塊が小排水口を覆ったり小排水口に詰まったりすることで、小排水口が閉塞する可能性がある。また、冬季には、集まった結露水が凍結することで小排水口が閉塞する可能性もある。小排水口が閉塞すると、少ない流量の結露水でも水位が上昇し、漏水検知センサが誤って結露水を漏水と検知してしまう。その結果、実際には漏水が発生していないにもかかわらず、給水電磁弁が閉じられて給湯不能になる。
【００２８】
本実施の形態であれば、漏水溜め部屋１４の底部に砂及び埃等の異物が堆積した場合でも、漏水溜め部屋１４に残存する結露水の量を確実に低減できる。このため、漏水溜め部屋１４に残存した結露水が凍結したとしても、漏水溜め部屋１４の水位の上昇を確実に抑制できる。これらのことから、本実施の形態であれば、結露水を誤って漏水検知センサ１８が漏水と検知することを確実に防止できる。
【００２９】
本実施の形態であれば、面取り部１６を設けたことで、以下の効果が得られる。漏水溜め部屋１４の結露水は、面取り部１６に沿って、重力によって確実に排水部屋１５へ流れ落ちる。このため、漏水溜め部屋１４に結露水が残存することをより確実に抑制できる。そのため、漏水溜め部屋１４に残った結露水が凍結して体積膨張することでスリット部１３の一部を塞いだりすることを確実に防止できるので、漏水溜め部屋１４の水位の上昇をより確実に抑制できる。また、漏水溜め部屋１４で凍結した結露水を間違って漏水検知センサ１８が検知することをより確実に防止できる。面取り部１６の形状が、本実施の形態のようなラウンド形状または円弧形状の曲面を有する形状でなく、例えば平面を有する形状の場合であっても、上記と同様の効果が得られる。
【００３０】
図２に示すように、排水口１７は、排水部屋１５から横方向に突出している。図示の構成では、排水口１７は、排水部屋１５から実質的に水平方向に突出している。排水口１７の内面の最も低い位置は、漏水溜め部屋の底面２１に比べて、低い位置にある。図示の構成では、排水口１７の内面の最も低い位置は、排水部屋１５の底面２２と同じ高さレベルＨ２にある。底板７と床面２０との間の限られた空間において、排水口１７にホース等を取り付けて任意の位置の排水ホッパー等まで導く場合を想定すると、以下のようになる。仮に排水口１７を垂直方向に形成した場合には、排水口１７に取り付けたホース等は、排水ホッパー等まで緩やかな勾配をつけることが困難となり、逆勾配が発生する可能性がある。ホース等の逆勾配が発生すると、結露水等がホース等の内部に滞留し、冬季においては凍結してホース等を閉塞する可能性がある。そのような場合、結露水を間違って検知する可能性がある。これに対して、排水口１７が排水部屋１５から横方向に突出するように形成することで、ホース等を緩やかな勾配を持たせて排水ホッパー等に導くことができ、逆勾配の発生を確実に抑制できる。よって、結露水を間違って検知することをより確実に防止できる。排水口１７の内面の最も低い位置が漏水溜め部屋の底面２１よりも低い位置にあることで、漏水溜め部屋１４の結露水の排出を促進することができる。よって、凍結が生ずる場合であっても結露水を間違って検知することをより確実に防止することができる。
【００３１】
図４に示すように、本実施の形態では、スリット部１３の幅は、下から上に向かって徐々に拡大している。スリット部１３の幅とは、スリット部１３の長手方向に垂直な方向のスリット部１３の隙間の間隔を指すものとする。このような構成によれば、以下の効果が得られる。スリット部１３に付着した結露水は、表面張力により、スリット部１３の幅が狭くなる方向、すなわち下方向に引かれて落ちる。このため、漏水溜め部屋１４に結露水が残存することをより確実に抑制できる。本実施の形態では、スリット部１３のほぼ全長に渡り、スリット部１３の幅が下から上に向かって漸増している。このような構成に限らず、スリット部１３の長手方向の少なくとも一部において、スリット部１３の幅が、下から上に向かって拡大していれば、上記効果に類似した効果が得られる。
【００３２】
実施の形態２．
次に、図５及び図６を参照して、実施の形態２について説明するが、上述した実施の形態１との相違点を中心に説明し、同一部分または相当部分については説明を簡略化または省略する。図５は、実施の形態２の貯湯式給湯機１が備える漏水検知装置８Ａの断面図である。図６は、図５に示す漏水検知装置８Ａが備える水受け部１１の平面図である。
【００３３】
図５に示すように、本実施の形態２では、漏水溜め部屋１４の底面２１は、仕切り板１２に近いほど低くなるように傾斜する傾斜面を備える。漏水溜め部屋１４の底面２１の全体が当該傾斜面を構成してもよいし、漏水溜め部屋１４の底面２１の一部が当該傾斜面を構成してもよい。当該傾斜面は、漏水溜め部屋１４内の結露水を仕切り板１２へ向かって排水させる排水勾配として機能する。本実施の形態２によれば、当該排水勾配により、漏水溜め部屋１４内の結露水が仕切り板１２の近くへ引き寄せられ、スリット部１３を通ってより確実に排水部屋１５へ排水される。このため、漏水溜め部屋１４に結露水が残ることをより確実に防止できる。漏水溜め部屋１４に残った結露水が凍結し、凍結した結露水が積層して漏水検知センサ１８に接触して、結露水を間違って検知するようなことをより確実に防止することができる。
【００３４】
実施の形態３．
次に、図７及び図８を参照して、実施の形態３について説明するが、上述した実施の形態１との相違点を中心に説明し、同一部分または相当部分については説明を簡略化または省略する。図７は、実施の形態３の貯湯式給湯機１が備える漏水検知装置８Ｂの断面図である。図８は、図７に示す漏水検知装置８Ｂが備える水受け部１１の平面図である。
【００３５】
これらの図に示す本実施の形態３では、スリット部１３の向かい合う一対の壁面１９が、仕切り板１２の表面に比べて高い親水性を有している。一対の壁面１９は、スリット部１３の隙間を介して向かい合う細長い形状の表面である。壁面１９に対して、親水性が向上する表面加工または表面処理を施すことで、壁面１９の親水性を仕切り板１２の表面の親水性より高くすることが可能である。当該表面加工または表面処理は、親水性が向上するものであればいかなるものでもよく、例えばシボ加工でもよいし、親水性コーティングをする処理でもよい。
【００３６】
本実施の形態３によれば、以下の効果が得られる。スリット部１３の壁面１９の水の濡れ性が向上するので、スリット部１３の壁面１９に触れた結露水が表面張力によって引き寄せられ、スリット部１３を通ってより確実に排水部屋１５へ排水される。このため、漏水溜め部屋１４に結露水が残ることをより確実に防止できる。漏水溜め部屋１４に残った結露水が凍結し、凍結した結露水が積層して漏水検知センサ１８に接触して、結露水を間違って検知するようなことをより確実に防止することができる。
【００３７】
本実施の形態３では、さらに、漏水溜め部屋１４の底面２１の少なくとも一部に、親水性が向上する表面加工または表面処理を施してもよい。すなわち、漏水溜め部屋１４の底面２１の少なくとも一部の親水性が、仕切り板１２の表面に比べて高い親水性を有するようにしてもよい。そのようにすることで、以下の効果が得られる。結露水が底面２１に付着して残ることをより確実に防止できる。漏水溜め部屋１４に残った結露水が凍結し、凍結した結露水が積層して漏水検知センサ１８に接触して、結露水を間違って検知するようなことをさらに確実に防止することができる。
【符号の説明】
【００３８】
１  貯湯式給湯機、  ２  貯湯タンク、  ３  給水管、  ４  出湯管、  ５  制御基板、  ６  外郭ケース、  ７  底板、  ８，８Ａ，８Ｂ  漏水検知装置、  ９  給水電磁弁、  １０  脚、  １１  水受け部、  １２  仕切り板、  １３  スリット部、  １４  漏水溜め部屋、  １５  排水部屋、  １６  面取り部、  １７  排水口、  １８  漏水検知センサ、  １８ａ  電極、  １９  壁面、  ２０  床面、  ２１，２２  底面、  ２３  内壁面
【図１】
2017215075.tif 000003
【図２】
2017215075.tif 000004
【図３】
2017215075.tif 000005
【図４】
2017215075.tif 000006
【図５】
2017215075.tif 000007
【図６】
2017215075.tif 000008
【図７】
2017215075.tif 000009
【図８】
2017215075.tif 000010